(57)【要約】【課題】中身の取り外しが可能な書籍を提供すること。【解決手段】中身の取り外しが可能な書籍は、その表紙板内側と複数の中身の辺縁に複数の固定部材を設置し、固定部材間の結合により複数の中身をしっかりと表紙板内に取り付けることができ、かつ必要に応じて希望の中身を選択し、取り出すことができる。【選択図】図２
0003167152.tif 000002
【実用新案登録請求の範囲】
【請求項１】
中身の取り外しが可能な書籍であって、
表紙板と、
前記表紙板内に設置された複数の中身と、
前記表紙板内側と各中身の辺縁にそれぞれ設置された複数の固定部材と、を含み、
前記表紙板内側と前記中身の辺縁上に複数の前記固定部材が設置されており、
前記固定部材間の結合によって、前記表紙板と中身を相互に結合することができ、複数の前記中身がしっかりと前記表紙板内に設置され、必要に応じて希望の中身を選択して取り出すことができることを特徴とする、
中身の取り外しが可能な書籍。
【請求項２】
前記固定部材が前記表紙板と前記中身の相互に対応する位置に設置され、前記中身を正確に前記表紙板内に設置することができ、そのうち、前記固定部材が、磁性部材、スナップボタン、軌道とすることができることを特徴とする、請求項１に記載の中身の取り外しが可能な書籍。
【請求項３】
中身の取り外しが可能な書籍であって、
複数の中身と、
各中身の辺縁にそれぞれ設置された複数の固定部材と、を含み、
前記各中身の外側に表紙板がそれぞれ設置され、
前記複数の中身を結合した後１つの完全な表紙板で前記中身が覆われ、
各中身の辺縁に設けた前記複数の固定部材で、前記複数の中身を１つの完全な中身に結合することができ、かつ必要に応じて希望の中身を選択して取り出すことができることを特徴とする、
中身の取り外しが可能な書籍。
【請求項４】
前記各中身の固定部材が相互に対応する位置に設置され、前記複数の中身を１つの完全な中身に結合することができ、そのうち、前記固定部材が、磁性部材、スナップボタン、軌道とすることができることを特徴とする、請求項３に記載の中身の取り外しが可能な書籍。
【考案の詳細な説明】
【技術分野】
【０００１】
本考案は中身の取り外しが可能な書籍に関し、特に、必要に応じて表紙板から中身を取り外すことができる書籍に関する。
【背景技術】
【０００２】
原文書、教科書または特殊な書籍などは、体積と重量が一般的な本より大きく、かつ重いほか、厚さも相当の厚みがあるため、携帯上不便であるだけでなく、その非常な厚みとページ数の多さのため、使用者がページをめくって閲読するとき面倒で容易でなく、また厚くて重い書籍を一定期間閲読すると、ページの綴じと接着の結合箇所に緩みが生じ、最終的に往々にしてページが徐々に本から外れてしまう。さらに、通常携帯する書籍一冊のうち、その特定の部分しか利用しないことがあり、例えば授業で使用する教科書は、往々にしてその日の授業では１つの章節のみ、またはそのうちいくつかの段落の内容しか扱わないにも関わらず、学習者は書籍全体を携帯する必要があり、その日の授業が非常に多い場合、携帯する必要のある書籍が学習者の負担となる。
【考案の概要】
【考案が解決しようとする課題】
【０００３】
本考案の目的は、主に、表紙板内側と複数の中身の辺縁に複数の固定部材を設置し、固定部材間の結合によって複数の中身をしっかりと表紙板内に固定でき、必要に応じて希望の中身を選択し、取り出すことができる、中身の取り外しが可能な書籍を提供することにある。
【課題を解決するための手段】
【０００４】
本願の第１考案は、中身の取り外しが可能な書籍であって、表紙板と、前記表紙板内に設置された複数の中身と、前記表紙板内側と各中身の辺縁にそれぞれ設置された複数の固定部材とを含み、前記表紙板内側と前記中身の辺縁上に複数の前記固定部材が設置されており、前記固定部材間の結合によって、前記表紙板と中身を相互に結合することができ、複数の前記中身がしっかりと前記表紙板内に設置され、必要に応じて希望の中身を選択し、取り出すことができることを特徴とする、中身の取り外しが可能な書籍を提供する。
本願の第２考案は、前記固定部材が前記表紙板と前記中身の相互に対応する位置に設置され、前記中身を正確に前記表紙板内に設置することができ、そのうち、前記固定部材が、磁性部材、スナップボタン、軌道とすることができることを特徴とする、前記第１考案の中身の取り外しが可能な書籍を提供する。
本願の第３考案は、中身の取り外しが可能な書籍であって、複数の中身と、各中身の辺縁にそれぞれ設置された複数の固定部材とを含み、そのうち、前記各中身の外側に表紙板がそれぞれ設置され、前記複数の中身を結合した後１つの完全な表紙板で前記中身が覆われ、各中身の辺縁に設けた前記複数の固定部材で、前記複数の中身を１つの完全な中身に結合することができ、かつ必要に応じて希望の中身を選択し、取り出すことができることを特徴とする、中身の取り外しが可能な書籍を提供する。
本願の第４考案は、前記各中身の固定部材が相互に対応する位置に設置され、前記複数の中身を１つの完全な中身に結合することができ、そのうち、前記固定部材が、磁性部材、スナップボタン、軌道とすることができることを特徴とする、前記第３考案の中身の取り外しが可能な書籍を提供する。
【考案の効果】
【０００５】
本考案は、表紙板内側と複数の中身の辺縁に複数の固定部材を設置し、固定部材間の結合によって複数の中身をしっかりと表紙板内に固定できて、必要に応じて希望の中身を選択して取り出すことができる。
【図面の簡単な説明】
【０００６】
【図１】本考案の立体外観図である。
【図２】本考案の立体分解図である。
【図３】本考案の最良の実施例の立体図である。
【図４】本考案の別の実施例の立体図１である。
【図５】本考案の別の実施例の立体図２である。
【図６】本考案の別の実施例の立体図３である。
【図７】本考案の別の実施例の立体図４である。
【図８】本考案のさらに別の実施例の立体図１である。
【図９】本考案のさらに別の実施例の立体図２である。
【図１０】本考案のさらに別の実施例の立体図３である。
【考案を実施するための形態】
【０００７】
まず、図１から図７の本考案の立体外観図、立体分解図、最良の実施例の立体図と別の実施例の立体図を参照する。
【０００８】
これらの図からはっきりとわかるように、本考案の中身の取り外しが可能な書籍は、表紙板１と、表紙板１内に設置される複数の中身２と、表紙板１内側と各中身２の辺縁にそれぞれ設置された複数の固定部材３を含む。
【０００９】
主に、各中身２の側辺上と表紙板１内側に複数の固定部材３が設置される。且つ固定部材３は表紙板１と中身２の相互に対応する位置に設置される。図２に示すように、固定部材３は磁性部材であるため、複数の中身２を表紙板１内に配置したとき、主に各中身２側辺に設置された複数の固定部材３（磁性部材）間の相互の吸着力により、複数の中身２を結合して１つの中身となる。最も外側の２つの中身２は、表紙板１内側の固定部材３（磁性部材）と相互に吸着されるため、複数の中身２をしっかりと表紙板１内に設置することができる。表紙板１と中身２の間が固定部材３（磁性部材）の磁力で結合されるため、使用者は必要に応じて希望の中身２を選択し、取り出すことができる。また、図２に示すような局部的な定点に磁性部材である固定部材３を設置するほか、図４に示すように、固定部材３を表紙板１内側の局部的な面積に設置する方式とし、中身２の固定部材３は辺縁表面に設置して、中身２が辺縁表面の複数の固定部材３と表紙板１内側の局部的な面積の固定部材３を相互に吸着させて、しっかりと表紙板１内に設置されるようにしてもよい。
【００１０】
固定部材３は上述の磁性部材のほか、図５に示すようにスナップボタンの設計としてもよい。主に表紙板１内側と各中身２辺縁上にスナップボタンである固定部材３を設置し、複数の中身２を表紙板１内に設置するときは、各中身２の側辺に設置した複数の固定部材３（スナップボタン）間を相互に留め、複数の中身２を結合して１つの中身とする。最も外側の２つの中身２は、表紙板１内側の固定部材３（スナップボタン）と相互に留めることにより、複数の中身２をしっかりと表紙板１内に設置することができる。使用者は必要に応じて希望の中身２を選択して取り出すことができる。
【００１１】
または、固定部材３は図６に示すように軌道の設計としてもよい。主に表紙板１内側と各中身２辺縁上に軌道である固定部材３を設置し、各軌道の間の嵌合によって複数の中身２を結合して１つの中身とする。最も外側の２つの中身２は、表紙板１内側の固定部材３（軌道）と相互に嵌合されるため、複数の中身２をしっかりと表紙板１内に設置することができ、使用者は必要に応じて希望の中身２を選択して取り出すことができる。固定部材３は図６に示す連続した軌道の設計のほか、図７に示すように段落式の軌道の設計としてもよい。両者の違いは、中身２の嵌入方式に違いがあり、連続した軌道の設計は上方または下方から直接嵌入させる必要があるが、一方段落式の軌道の設計は表紙板１内から直接嵌入させることができる。
【００１２】
図８、図９、図１０に本考案のさらに別の実施例の立体図を示す。これらの図からはっきりと分かるように、本考案の中身の取り外しが可能な書籍は、外側がそれぞれ表紙板１で覆われた複数の中身２と、各中身２の辺縁にそれぞれ設置された複数の固定部材３を含む。
【００１３】
主に各中身２の外側に複数の固定部材３がそれぞれ設置され、且つ固定部材３はすべて相互に対応する位置に設置されるため、複数の中身２を結合させると、１冊の完全な書籍となる。そのうち設置される複数の固定部材３は、前述した磁性部材、スナップボタン、軌道のいずれかとすることができ、磁性部材間の磁力の吸着、スナップボタンの嵌合方式、軌道の嵌設方式によって、複数の中身２を結合させて１冊の完全な書籍とすることができる。本実施例と前述の構造の違いは、表紙板１が直接中身２の外側に設置されており、中身２と分離できない点にある。
【００１４】
本考案は主に従来の書籍の中身を複数の中身２に分割し、かつ各中身２の辺縁に複数の固定部材３を設置して、各中身２を結合して１冊の完全な本にできるほか、最も主要な目的は、使用者が必要に応じて選択した中身２を取り外し、書籍全体を携帯する必要がなくなる。例えば、学生が授業に出るとき、その日に学ぶことに関連する中身２だけを取り外して携帯すればよく、書籍全体を携帯する必要がなくなり、学生が本を携帯する負担を軽減できる。さらに、中身２は章節、段落、難度によって分割し、使用者が容易に区別でき、かつ書籍内容を知ることができるようにして、携帯する必要がある中身２を選べることができる。
【符号の説明】
【００１５】
１        表紙板
２        中身
３        固定部材
【図１】
0003167152.tif 000003
【図２】
0003167152.tif 000004
【図３】
0003167152.tif 000005
【図４】
0003167152.tif 000006
【図５】
0003167152.tif 000007
【図６】
0003167152.tif 000008
【図７】
0003167152.tif 000009
【図８】
0003167152.tif 000010
【図９】
0003167152.tif 000011
【図１０】
0003167152.tif 000012